(57)【要約】【課題】炭酸ガス高圧容器に直接取付け、ビール樽へ供給する圧力調整器の供給圧力を、常にビールの泡を最適に保つため、温度に応じた供給圧力に制御することを課題とする。【解決手段】大気温度等の感温体（サーモワックスペレット）の伸縮を圧力調整器の２次スプリングに作用させることで、２次圧力（供給圧力）を変化させ上記課題を解決した。気温上昇時、炭酸ガス高圧容器から炭酸ガスは圧力調整器を通してビール樽などに流れ２次圧力を高める。気温降下時は、圧力調整器がリリーフし、２次圧力を低下させる。樽内の圧力は、ディスペンスヘッドに通常組み込まれているチェックバルブをあらかじめ外しておくなどで、圧力調整器へ逆流させ大気へ放出する。炭酸ガス供給圧力の調整は自動であるが、好みに応じて圧力を微調整できるように、ハンドルを設けてある。【選択図】    図２
2006027651.tif 000002
【特許請求の範囲】
【請求項１】
炭酸ガス高圧容器に直接取付け、発泡飲料注出のために、発泡飲料容器に炭酸ガスを供給するガス圧力調整器において、ガス圧力調整器周辺気温に応じて前記炭酸ガスの供給圧力を自動調節する温度圧力調整手段を設けたことを特徴とする、飲料用炭酸ガス圧力調整器。
【請求項２】
圧力調整器の感温部はサーモワックスペレットであることを特徴とする、請求項１の飲料用炭酸ガス圧力調整器。
【請求項３】
前記圧力調整手段による圧力調整器リリーフ時の発泡飲料容器内の炭酸ガスは、圧力調整器を通して大気に放出することを特徴とする、請求項１の飲料用炭酸ガス圧力調整器。
【請求項４】
注出する発泡飲料の泡の量を、好みに合わせて手動で圧力調整ができる様に、ハンドルを設けたことを特徴とする、請求項１の飲料用炭酸ガス圧力調整器。
【請求項５】
前記圧力調整器の器差バラツキを縮小するために感温部のサーモワックスペレット位置を調整可能にしたことを特徴とする、請求項１の飲料用炭酸ガス圧力調整器。
【発明の詳細な説明】
【技術分野】
【０００１】
本発明は、高圧容器に充てんされている炭酸ガスを減圧して、樽生ビール等の樽に低圧ガスを供給する飲料用炭酸ガス圧力調整器に関するものである。
炭酸ガス圧力が一定でもビール温度の変化により、炭酸ガスがビールに溶け込む量が変化するため、季節又は室温等により圧力調整器の調圧ハンドルを手動で作動させ供給圧力を調整して、ビールに含まれる炭酸ガス量、即ち泡の量が最適になるようにしている。
【背景技術】
【０００２】
図1は従来例である。
１は炭酸ガス高圧容器接続口、２は炭酸ガス供給口でビール樽へのチューブを接続する、３は供給圧力を調整する圧力調整ハンドルである。
圧力調整器の圧力調整動作は、炭酸ガス高圧容器に圧力調整器が接続され、元弁が開かれている状態において、調整圧力を手動で上昇させる場合、現在の気温等に見合う供給圧力を示す位置に圧力調整ハンドル３をねじ込む、すると４の２次スプリングが圧縮され、２次ダイアフラム５が移動、６のピンを押し下げ、７のバルブが８のバルブシートから離れ、ガスが流れる、すると９の２次室圧力（供給圧力）が上昇し、５の２次ダイアフラムが４の２次スプリングを圧縮、７のバルブが閉じる。圧力調整は上記の繰返しで目標の供給圧力を得ている。
気温の低下に対しては、ハンドル３をねじ戻すことで、９の２次室圧力（供給圧力）を下げることができる。
１０の1次室圧力は１次スプリング１１に依存して、同様な作動で略一定に保たれている。
以上説明したように従来の圧力調整器は、気温及び室温等によって手動で圧力調整をするハンドル作動方式が一般的で、供給圧力をきめ細かに調整をすることは困難であり、ビールの味や風味も犠牲になることがあった。
手動でなく温度によって自動で供給圧力を変える考案は、特開２００３−１２８１９３にあり、ビール温度の低下には効果があるが、ビール温度の上昇には、上流側の圧力調整器の供給セット圧力に規制されてしまう。
【特許文献１】特開２００３−１２８１９３（Ｐ２００３−１２８１９３Ａ）
【発明の開示】
【発明が解決しようとする課題】
【０００３】
問題点は、温度計等と温度−圧力表を見て圧力調整ハンドルを手動で作動することであり、ビールの温度や室温の変化に素早く対応するにはいつも温度を監視していることが必要であり、現実にはビールの泡の状態をいつも最良に保つことが困難な点である。
ちなみに、従来の手動による場合、夜間など人がいない時は圧力調整が出来ないため、気温の低下により樽内のビール温度が下がっているにも拘わらず、樽内の炭酸ガス圧力が下がらず、ビールへの炭酸ガス溶け込み量が増加し、翌日の注出時には泡過多になってしまう問題がある。
解決しようとする課題は、何時注出してもビールの泡の状態を最良に保てるようにすることである。即ち、温度に応じて２次圧力（供給圧力）を自動的に変えるようにすることである。
【課題を解決するための手段】
【０００４】
圧力調整器にサーモワックスペレットを組み込み、大気を接触させることで、大気温度に応じてサーモワックスペレットのプランジャーを伸縮させ、２次スプリングを伸縮させ２次室圧力（供給圧力）を変化させる。
【発明の効果】
【０００５】
ビール樽へ炭酸ガスを供給する圧力を、大気の温度に応じた圧力に自動化することにより、常に適切な供給圧力にでき、ビール注出時の泡を何時でも最良の状態に維持できる。特に、夜間の冷え込みに対しては、従来、日常的にあった翌日の泡過多現象を皆無にできる。また、圧力調整のための労力の削減も期待できる。
【発明を実施するための最良の形態】
【０００６】
本案の最も効果的な形態は、ビアホールや居酒屋など、ビール樽から生ビールを注出するディスペンサーを備えている店舗等で、何時でも美味しいビールを提供することが出来るようになる。
【実施例１】
【０００７】
本発明の実施例を図２に示す。１０は１次室、１１は１次スプリングで図１と同様。２１は炭酸ガス高圧容器接続口、２２はビール樽へ炭酸ガスを供給する炭酸ガス供給口である。
圧力調整器の圧力調整動作は、炭酸ガス高圧容器に圧力調整器が接続され、元弁が開かれている状態において、現在の気温を３０のサーモワックスペレットが感知し、３１のプランジャーを伸縮させる。プランジャーの伸縮は２４及び２４´の２次スプリングを伸縮し、２５の２次ダイアフラムと一体の２６のダイアフラムピンにより、２７のバルブを開閉し２次室２９の２次室圧力（供給圧力）を気温に応じて自動調整する。２８はバルブシートである。
気温上昇時は、３１のプランジャーが伸長２４及び２４´の２次スプリングを圧縮し、２９の２次室圧力（供給圧力）を高める、炭酸ガスは高圧容器から圧力調整器を通してビール樽に流れ樽内の圧力を高める。気温下降時は、前記の逆に３１のプランジャーの短縮につれて、２５の２次ダイアフラムと２４及び２４´の２次スプリングは共に移動、２６のダイアフラムピンのシートは２７のバルブから離れ、２９の２次室圧力は、２６のダイアフラムピンセンターのリリーフポートから、３２の大気ポートへ流れ、２９の２次室圧力（供給圧力）を低下させる。一方、樽内の圧力降下のさせ方の一案は、ディスペンサーヘッドに通常組み込まれているチェックバルブを外すこと等で、圧力調整器がリリーフしたとき、ビール樽内の炭酸ガスは、圧力調整器へ逆流して大気へ放出し、圧力を下げることができる。
また、炭酸ガス供給圧力の調整は自動であるが、好みに応じて圧力を微調整できるように、２３の調整ハンドルを設けてある。更に、２３の調整ハンドルには生産時の誤差を吸収するために、３３の調整スクリューを設けてある。
【産業上の利用可能性】
【０００８】
本発明の利用可能性として、ビール用のほか、炭酸飲料用自動販売機などの炭酸ガス圧力調整器に利用することで、各種炭酸飲料の炭酸ガス溶け込み量を常に最適に維持でき、常に美味しい炭酸飲料の提供ができるようになる。
【図面の簡単な説明】
【０００９】
【図１】従来の炭酸ガス圧力調整器を示した説明図である。
【図２】本発明の大気温度感知式炭酸ガス圧力調整器を示した説明図である。（実施例１）
【符号の説明】
【００１０】
１    炭酸ガス高圧容器接続口
２    炭酸ガス供給口
３    圧力調整ハンドル
４    ２次スプリング
５    ２次ダイアフラム
６    ピン
７    バルブ
８    バルブシート
９    ２次室
１０    １次室
１１    １次スプリング
２１    炭酸ガス高圧容器接続口
２２    炭酸ガス供給口
２３    調整ハンドル
２４  ２４´    ２次スプリング
２５    ２次ダイアフラム
２６    ダイアフラムピン、リリーフポート
２７    バルブ
２８    バルブシート
２９    ２次室
３０    サーモワックスペレット
３１    プランジャー
３２    大気ポート
３３    調整スクリュー
【図１】
2006027651.tif 000003
【図２】
2006027651.tif 000004